(57)【要約】【課題】  ウェブページ閲覧において画面上に必要最小限の情報を提供して所望のウェブページに到達するまでの操作性を向上できるようにすることを課題とする。【解決手段】  ウェブサーバから携帯電話にたとえば５ページで一組のウェブページを取得させ、各ウェブページを表示させる際に、操作パネルＰＮＬを用いてユーザに所望のウェブページを選択させる。操作パネルＰＮＬ内に表示されるアイコンＩＣ１〜ＩＣ５に対するキー操作により選択対象を決定させる。その際、現在選択中のアイコンが何かをそのアイコンのタイトル名をタイトル表示欄ＴＴＬに表示させることで確認できる。現在選択中のアイコンでセレクトするか、その選択状態が一定時間を経過すると、現在選択中のアイコンで決定となり、ディスプレイにウェブページを表示させる。【選択図】  図７
2005108004.tif 000002
【特許請求の範囲】
【請求項１】
ネットワークを介してウェブサーバから提供されるウェブページ情報を閲覧する携帯端末であって、
前記ウェブサーバからウェブページ情報を受信する受信手段と、
前記受信手段で受信されたウェブページ情報を記憶する記憶手段と、
前記ウェブサーバから提供される数のウェブページ情報にそれぞれ対応させたアイコン画像を用いて構成されるパネル画像を表示するパネル表示手段と、
前記パネル表示手段で表示されるパネル画像について現在選択中のアイコン画像の表示態様を他のアイコン画像と識別可能に変更する表示変更手段と、
前記表示変更手段の変更段階から表示時間を計測する計測手段と、
前記計測手段で計測される表示時間が一定時間を経過した場合、前記記憶手段から前記現在選択中のアイコン画像に対応するウェブページ情報を読み出して当該ウェブページ情報に基づいてウェブページを表示するウェブページ表示手段と、
を備えたことを特徴とする携帯端末。
【請求項２】
前記受信手段は、起動時に前記ウェブサーバからウェブページ情報を受信することを特徴とする請求項１に記載の携帯端末。
【請求項３】
前記受信手段は、前記計測手段で計測される表示時間が一定時間を経過した場合、前記ウェブサーバからウェブページ情報を受信することを特徴とする請求項１または２に記載の携帯端末。
【請求項４】
前記ウェブページ情報は、各ウェブページのトップページであることを特徴とする請求項１、２または３に記載の携帯端末。
【請求項５】
前記表示変更手段は、前記現在選択中のアイコン画像に対応するウェブページを示すタイトル名を表示すること特徴とする請求項１〜４のいずれか１つに記載の携帯端末。
【請求項６】
さらに、前記パネル表示手段で表示されるパネル画像に対して選択対象のアイコン画像をユーザの操作に応答して切り替える切り替え手段を有したことを特徴とする請求項１〜５のいずれか１つに記載の携帯端末。
【請求項７】
ネットワークを介してウェブサーバから提供されるウェブページ情報を閲覧する携帯端末のウェブ閲覧方法であって、
前記ウェブサーバからウェブページ情報を受信してメモリに記憶する第１ステップと、
前記ウェブサーバから提供される数のウェブページ情報にそれぞれ対応させたアイコン画像を用いて構成されるパネル画像を表示する第２ステップと、
前記第２ステップで表示されるパネル画像について現在選択中のアイコン画像の表示態様を他のアイコン画像と識別可能に変更する第３ステップと、
前記第３ステップによる変更段階から表示時間を計測する第４ステップと、
前記第４ステップで計測される表示時間が一定時間を経過した場合、前記メモリから前記現在選択中のアイコン画像に対応するウェブページ情報を読み出して当該ウェブページ情報に基づいてウェブページを表示する第５ステップと、
を含んだことを特徴とする携帯端末のウェブ閲覧方法。
【請求項８】
前記第１ステップは、起動時に前記ウェブサーバからウェブページ情報を受信することを特徴とする請求項７に記載の携帯端末のウェブ閲覧方法。
【請求項９】
前記第１ステップは、前記第４ステップで計測される表示時間が一定時間を経過した場合、前記ウェブサーバからウェブページ情報を受信することを特徴とする請求項７または８に記載の携帯端末のウェブ閲覧方法。
【請求項１０】
前記ウェブページ情報は、各ウェブページのトップページであることを特徴とする請求項７、８または９に記載の携帯端末のウェブ閲覧方法。
【請求項１１】
前記第３ステップは、前記現在選択中のアイコン画像に対応するウェブページを示すタイトル名を表示すること特徴とする請求項７〜１０のいずれか１つに記載の携帯端末のウェブ閲覧方法。
【請求項１２】
さらに、前記第２ステップで表示されるパネル画像に対して選択対象のアイコン画像をユーザの操作に応答して切り替える第６ステップを含んだことを特徴とする請求項７〜１１のいずれか１つに記載の携帯端末のウェブ閲覧方法。
【請求項１３】
ネットワークを介してウェブサーバから提供されるウェブページ情報を閲覧する処理をコンピュータにより実行可能なウェブ閲覧プログラムであって、
前記コンピュータに、
前記ウェブサーバからウェブページ情報を受信してメモリに記憶する第１ステップと、
前記ウェブサーバから提供される数のウェブページ情報にそれぞれ対応させたアイコン画像を用いて構成されるパネル画像を表示する第２ステップと、
前記第２ステップで表示されるパネル画像について現在選択中のアイコン画像の表示態様を他のアイコン画像と識別可能に変更する第３ステップと、
前記第３ステップによる変更段階から表示時間を計測する第４ステップと、
前記第４ステップで計測される表示時間が一定時間を経過した場合、前記メモリから前記現在選択中のアイコン画像に対応するウェブページ情報を読み出して当該ウェブページ情報に基づいてウェブページを表示する第５ステップと、
を実行させることを特徴とするウェブ閲覧プログラム。
【請求項１４】
前記第１ステップは、起動時に前記ウェブサーバからウェブページ情報を受信することを特徴とする請求項１３に記載のウェブ閲覧プログラム。
【請求項１５】
前記第１ステップは、前記第４ステップで計測される表示時間が一定時間を経過した場合、前記ウェブサーバからウェブページ情報を受信することを特徴とする請求項１３または１４に記載のウェブ閲覧プログラム。
【請求項１６】
前記ウェブページ情報は、各ウェブページのトップページであることを特徴とする請求項１３、１４または１５に記載のウェブ閲覧プログラム。
【請求項１７】
前記第３ステップは、前記現在選択中のアイコン画像に対応するウェブページを示すタイトル名を表示すること特徴とする請求項１３〜１６のいずれか１つに記載のウェブ閲覧プログラム。
【請求項１８】
さらに、前記第２ステップで表示されるパネル画像に対して選択対象のアイコン画像をユーザの操作に応答して切り替える第６ステップを含んだことを特徴とする請求項１３〜１７のいずれか１つに記載のウェブ閲覧プログラム。
【発明の詳細な説明】
【技術分野】
【０００１】
本発明は、たとえば、携帯端末、携帯端末のウェブ閲覧方法および携帯端末のウェブ閲覧プログラムに関する。
【背景技術】
【０００２】
今日、クライアント側の表示画面上に複数のタブ付きＨＴＭＬページを重ねて表示させ、選択されたタブ付きＨＴＭＬページを最前面に表示させるタブブラウザが登場している。
【０００３】
タブブラウザを構成する複数のタブ付きＨＴＭＬページには、それぞれ異なるＵＲＬが割り当てられている。クライアントにおいて、マウスなどの入力デバイスによりタブのひとつが選択されると、その選択されたタブに対応付けられたＵＲＬからタブ付きＨＴＭＬページが該当ウェブサーバに対して要求される。
【０００４】
このようにして、アクセス先のウェブサーバからクライアントに対して要求されたタブ付きＨＴＭＬページのファイルがダウンロードされると、そのタブ付きＨＴＭＬページがタブブラウザの最前面に表示される（特許文献１、特許文献２）。
【０００５】
【特許文献１】特開２０００−１７２３９８号公報
【特許文献２】特開２００２−４１２９６号公報
【発明の開示】
【発明が解決しようとする課題】
【０００６】
ところが、上述した従来例では、ＨＴＭＬページを表示させながらタブの選択によりページを切り替える操作が必要であった。それゆえ、所望のウェブページに到達するまでにユーザにとって価値のない情報を表示させる処理が多くを占めていた。とくに、ウェブサーバにアクセスしたときには、ユーザにとって最初に表示させたいウェブページに迅速に到達することが望まれていた。
【０００７】
本発明の目的は、ウェブページ閲覧において画面上に必要最小限の情報を提供して所望のウェブページに到達するまでの操作性を向上させることが可能な携帯端末、携帯端末のウェブ閲覧方法および携帯端末のウェブ閲覧プログラムを提供することにある。
【課題を解決するための手段】
【０００８】
上述した課題を解決し、上記目的を達成するため、請求項１の発明に係る携帯端末は、ネットワークを介してウェブサーバから提供されるウェブページ情報を閲覧する携帯端末であって、前記ウェブサーバからウェブページ情報を受信する受信手段と、前記受信手段で受信されたウェブページ情報を記憶する記憶手段と、前記ウェブサーバから提供される数のウェブページ情報にそれぞれ対応させたアイコン画像を用いて構成されるパネル画像を表示するパネル表示手段と、前記パネル表示手段で表示されるパネル画像について現在選択中のアイコン画像の表示態様を他のアイコン画像と識別可能に変更する表示変更手段と、前記表示変更手段の変更段階から表示時間を計測する計測手段と、前記計測手段で計測される表示時間が一定時間を経過した場合、前記記憶手段から前記現在選択中のアイコン画像に対応するウェブページ情報を読み出して当該ウェブページ情報に基づいてウェブページを表示するウェブページ表示手段と、を備えたことを特徴とするものである。
【０００９】
請求項２の発明は、請求項１において、前記受信手段は、起動時に前記ウェブサーバからウェブページ情報を受信するようにしてもよい。
【００１０】
請求項３の発明は、請求項１または２において、前記受信手段は、前記計測手段で計測される表示時間が一定時間を経過した場合、前記ウェブサーバからウェブページ情報を受信するようにしてもよい。
【００１１】
請求項４の発明は、請求項１、２または３において、前記ウェブページ情報は、各ウェブページのトップページであってもよい。
【００１２】
請求項５の発明は、請求項１〜４のいずれか１つにおいて、前記表示変更手段は、前記現在選択中のアイコン画像に対応するウェブページを示すタイトル名を表示するようにしてもよい。
【００１３】
請求項６の発明は、請求項１〜５のいずれか１つにおいて、さらに、前記パネル表示手段で表示されるパネル画像に対して選択対象のアイコン画像をユーザの操作に応答して切り替える切り替え手段を有してもよい。
【００１４】
また、請求項７の発明に係るウェブ閲覧方法は、ネットワークを介してウェブサーバから提供されるウェブページ情報を閲覧する携帯端末のウェブ閲覧方法であって、前記ウェブサーバからウェブページ情報を受信してメモリに記憶する第１ステップと、前記ウェブサーバから提供される数のウェブページ情報にそれぞれ対応させたアイコン画像を用いて構成されるパネル画像を表示する第２ステップと、前記第２ステップで表示されるパネル画像について現在選択中のアイコン画像の表示態様を他のアイコン画像と識別可能に変更する第３ステップと、前記第３ステップによる変更段階から表示時間を計測する第４ステップと、前記第４ステップで計測される表示時間が一定時間を経過した場合、前記メモリから前記現在選択中のアイコン画像に対応するウェブページ情報を読み出して当該ウェブページ情報に基づいてウェブページを表示する第５ステップと、を含んだことを特徴とするものである。
【００１５】
請求項８の発明は、請求項７において、前記第１ステップは、起動時に前記ウェブサーバからウェブページ情報を受信するようにしてもよい。
【００１６】
請求項９の発明は、請求項７または８において、前記第１ステップは、前記第４ステップで計測される表示時間が一定時間を経過した場合、前記ウェブサーバからウェブページ情報を受信するようにしてもよい。
【００１７】
請求項１０の発明は、請求項７、８または９において、前記ウェブページ情報は、各ウェブページのトップページであってもよい。
【００１８】
請求項１１の発明は、請求項７〜１０のいずれか１つにおいて、前記第３ステップは、前記現在選択中のアイコン画像に対応するウェブページを示すタイトル名を表示するようにしてもよい。
【００１９】
請求項１２の発明は、請求項７〜１１のいずれか１つにおいて、さらに、前記第２ステップで表示されるパネル画像に対して選択対象のアイコン画像をユーザの操作に応答して切り替える第６ステップを含むようにしてもよい。
【００２０】
また、請求項１３の発明に係るウェブ閲覧プログラムは、ネットワークを介してウェブサーバから提供されるウェブページ情報を閲覧する処理をコンピュータにより実行可能なウェブ閲覧プログラムであって、前記コンピュータに、前記ウェブサーバからウェブページ情報を受信してメモリに記憶する第１ステップと、前記ウェブサーバから提供される数のウェブページ情報にそれぞれ対応させたアイコン画像を用いて構成されるパネル画像を表示する第２ステップと、前記第２ステップで表示されるパネル画像について現在選択中のアイコン画像の表示態様を他のアイコン画像と識別可能に変更する第３ステップと、前記第３ステップによる変更段階から表示時間を計測する第４ステップと、前記第４ステップで計測される表示時間が一定時間を経過した場合、前記メモリから前記現在選択中のアイコン画像に対応するウェブページ情報を読み出して当該ウェブページ情報に基づいてウェブページを表示する第５ステップと、を実行させることを特徴とするものである。
【００２１】
請求項１４の発明は、請求項１３において、前記第１ステップは、起動時に前記ウェブサーバからウェブページ情報を受信するようにしてもよい。
【００２２】
請求項１５の発明は、請求項１３または１４において、前記第１ステップは、前記第４ステップで計測される表示時間が一定時間を経過した場合、前記ウェブサーバからウェブページ情報を受信するようにしてもよい。
【００２３】
請求項１６の発明は、請求項１３、１４または１５において、前記ウェブページ情報は、各ウェブページのトップページであってもよい。
【００２４】
請求項１７の発明は、請求項１３〜１６のいずれか１つにおいて、前記第３ステップは、前記現在選択中のアイコン画像に対応するウェブページを示すタイトル名を表示するようにしてもよい。
【００２５】
請求項１８の発明は、請求項１３〜１７のいずれか１つにおいて、さらに、前記第２ステップで表示されるパネル画像に対して選択対象のアイコン画像をユーザの操作に応答して切り替える第６ステップを含むようにしてもよい。
【発明の効果】
【００２６】
本発明によれば、ウェブページ閲覧において画面上に必要最小限の情報を提供して所望のウェブページに到達するまでの操作性を向上させることが可能な携帯端末、携帯端末のウェブ閲覧方法および携帯端末のウェブ閲覧プログラムを提供できるという効果を奏する。
【発明を実施するための最良の形態】
【００２７】
以下に添付図面を参照して、本発明の一実施の形態について詳述する。
まず、全体について説明する。図１は本発明の一実施の形態によるウェブサーバシステムを示す構成図である。本実施の形態によるウェブサーバシステムは、たとえば図１に示したように、携帯端末の１種である携帯電話とウェブサーバとの間を携帯電話網４およびインターネット５で通信可能に接続する構成である。
【００２８】
携帯電話網４は、パケット通信網４Ａ、ゲートウェイサーバ４Ｂなどを備えている。パケット網４Ａは、たとえば携帯電話との間で無線通信を行い、ゲートウェイサーバ４Ｂとの間で通信を行う。ゲートウェイサーバ４Ｂは、インターネット５に接続され、インターネット５に接続されるウェブサーバ２などの端末とパケット網４Ａに無線接続される携帯電話などの携帯端末間の通信を制御する。
【００２９】
携帯電話１は、複数の携帯電話のうちの代表例を示しており、音声通話、インターネット通信などを機能として備えている。この携帯電話１は、ウェブページを表示させるためのディスプレイ１１、ウェブ閲覧のための操作を司るキー群１２などにより構成される。
【００３０】
ウェブサーバ２は、複数のウェブサーバのうちの代表例を示しており、携帯電話からの要求に応じてホームページ閲覧、コンンテンツのダウンロード、電子商取引などを提供する。このウェブサーバ２は、ウェブページなどの情報を格納したコンテンツデータベース（コンテンツＤＢ）３を接続している。
【００３１】
本実施の形態によるサービスでは、携帯電話１側のアプリケーション（以下にアプリという）によりブラウザ形式でブラウザ表示を実現するため、ウェブサーバ２より携帯電話１に対してウェブページ情報が提供される。本実施の形態においては、ウェブブラウザは、たとえば５ページ分のウェブページを一組として扱われるものとする。本実施の形態では、５ページ分を一組としたが、本発明はこれに限定されるものではなく、５ページ以上または５ページ以下の組み合わせでもよい。
【００３２】
つぎに、ウェブサーバシステム２を構成する各部について詳述する。まずウェブサーバ２について説明する。図２は本実施の形態によるウェブサーバの一構成例を示すブロック図であり、図３は本実施の形態によるウェブサーバ側の主となる記憶内容を説明する図である。
【００３３】
ウェブサーバ２は、インターネット５に接続され、このインターネット５を介して携帯電話、ＰＣなどの他の機器との間の通信を司る通信制御部２０１、ＣＰＵ、ＲＯＭ、ＲＡＭなどを備え、サーバ全体の制御を司る制御部２０２、サーバ全体の制御を行うためのプログラムのほかウェブページを携帯端末に提供するためのプログラム２０４などを記憶した記憶部２０３、コンテンツＤＢ３との間でインタフェースを司るＤＢインタフェース２０５などにより構成される。
【００３４】
制御部２０２は、インターネット５を介して他の機器の要求に応じてデジタルコンテンツを提供したり、インターネット５を介して、もしくは、図示せぬドライバを介してデジタルコンテンツの内容を更新する処理も実行する。コンテンツＤＢ３は、画像、着信メロディ、音楽などのデジタルコンテンツ、ウェブページを構成するためのウェブページ情報２０６を保存している。
【００３５】
ウェブページ情報２０６は、たとえば図３（Ａ）に示したように、たとえば５種類のウェブページを１つの組み合わせとし、その組み合わせでインデックスファイルＩＤＸＦを用意する。ウェブページ情報２０６は、このインデックスファイルＩＤＸＦと、１組のウェブページを構成する各ページファイル番号に対応させてＴＯＰページの更新日付とそのＴＯＰページのページファイルとを対応させてなるウェブページ情報とから構成される。
【００３６】
更新日付、ページファイルは、それぞれ各ページファイル番号＃１、＃２・・・に対応させ、ＤＴ＃１、ＤＴ＃２・・・、ＰＦ＃１、ＰＦ＃２・・・となる。更新日付は、ページファイルが更新されたときの日付を示し、ページファイルは、タブページを構成する情報を示す。
【００３７】
インデックスファイルＩＤＸＦは、たとえば図３（Ｂ）に示したように、各ページファイル番号に対してそのページファイル番号のウェブページの更新日付とＵＲＬとを対応付けてなる構成である。たとえばページファイル番号＃１の場合には、更新日付は、２００３．６．１０となり、ＵＲＬは、http://abc.dwango.co.jp/xyz1.html/となり、ページファイル番号＃４の場合には、更新日付は、２００３．６．１となり、ＵＲＬは、http://abc.dwango.co.jp/xyz4.html/となる。
【００３８】
このインデックスファイルＩＤＸＦは、後述するが、携帯電話からアクセスがあったときに各タブページの更新状況に応じて更新され、携帯電話に供給されるものである。インデックスファイルＩＤＸＦの更新は、携帯電話からアクセスされたときに限らず定期的に、もしくは、あらかじめ決められたトリガに応じて実行されるようにしてもよい。
【００３９】
つづいて携帯端末について説明する。図４は本実施の形態による携帯端末の内部構成を示すブロック図である。図５は本実施の形態によるウェブページ情報の記憶内容を説明する図である。
【００４０】
本実施の形態の携帯電話１は、たとえば図４に示したように、内部バス２３に、通信処理部１９、音声処理部１３、ＣＰＵ１６、ＲＯＭ１７、ＲＡＭ１８、キー群１２、ディスプレイ１１、赤外線通信部２１、カメラ２２などを接続させ、データ、アドレス信号、制御信号などを伝送させることで各種の処理を実現する構成である。
【００４１】
通信処理部１９は、アンテナ１８に接続され、アンテナ１８を介して携帯電話網４と通信を行うものである。この通信処理部１９により、音声通話やウェブサーバ２との通信を実現することができる。音声処理部１３は、音声出力のためのスピーカ１４、音声入力のためのマイク１５をそれぞれ接続させており、受話時や送話時の音声処理を行うものである。
【００４２】
ＣＰＵ１６は、携帯電話１全体の制御をＲＯＭ１７に格納されたＯＳにしたがって行うものである。ＲＯＭ１７は、あらかじめインストールされているＯＳなどのプログラムを格納している。このＣＰＵ１６は、携帯用の各種アプリケーション（たとえばＪＡＶＡ（登録商標）アプリケーション）によりウェブ閲覧を制御する。また、このＣＰＵ１６は、キー群１２からの入力を受け付けて各種の処理を実行させたり、各種の処理に応じて表示を制御する。
【００４３】
ＲＡＭ１８は、カメラ２２による撮像画像を記憶するエリア、各種処理を行うためのワークエリアなどを備えているほか、アプリケーション１８Ａ、ウェブサーバ２から受信されたウェブページ情報１８Ｂなどを記憶する。本実施の形態によるウェブブラウザ機能は、アプリケーション１８ＡのうちのたとえばＪＡＶＡ（登録商標）アプリにより実現される。
【００４４】
ウェブページ情報は、たとえば図５に示したように、ページファイル番号＃１、＃２・・・に対してそれぞれＴＯＰページの更新日付ＤＴ＃１、ＤＴ＃２・・・、ＴＯＰページのページファイルＰＦ＃１、ＰＦ＃２・・・を対応付けて記憶されるものである。
【００４５】
キー群１２は、電話番号、アドレスなどの入力を行ったり、表示画面上のウェブブラウザに対してページを選択または切り替えたり、リンク先を選択するための各種キーを備えている。ディスプレイ１１は、ウェブブラウザを表示したり、電話やメールの機能を使うときに表示画面を形成したり、カメラ２２の撮像画像を表示するものである。
【００４６】
赤外線通信部２１は、所定の赤外線規格にしたがって同規格で赤外線通信可能な他の機器とのデータ通信を行うものであり、カメラ２２は、キー群１２の操作にしたがって撮像画像をデジタル画像として取り込むものである。
【００４７】
つぎに、携帯電話の表示例を示しながら動作について説明する。図６は本実施の形態によるブラウザの初期画面を説明する図、図７は本実施の形態による携帯電話側の画面遷移を説明する図、図８および図９は本実施の形態によるウェブ閲覧処理を説明するフローチャート、図１０および図１１は本実施の形態によるページ更新処理を説明するフローチャートである。
【００４８】
本実施の形態において（図８参照）、まずユーザの操作により携帯電話１のＪＡＶＡ（登録商標）アプリケーション（アプリケーション１８Ａ）が起動されると（ステップＳ１０１）、携帯電話網４、インターネット５を介して携帯電話１からウェブサーバ２へのアクセスが行われる。この段階で、ページ更新処理が実行される（ステップＳ１０２）。
【００４９】
ページ更新処理が終了すると、操作パネルの表示処理が実行される（ステップＳ１０３）。このとき、図６（Ａ）に示したように、携帯電話１におけるディスプレイ１１には、操作パネルＰＮＬが表示される。
【００５０】
この操作パネルＰＮＬには、同図（Ｂ）に拡大して示したように、５種類のウェブページに対応させてアイコンＩＣ１、ＩＣ２、ＩＣ３、ＩＣ４およびＩＣ５がたとえば横一例に表示される。左端のアイコンＩＣ１、右端のアイコンＩＣ５の外側には、キー群１１により左右方向にそれぞれ移動操作可能な状態を示す矢印ＡＬ１（右方向）、ＡＬ２（左方向）が表示される。
【００５１】
アイコンＩＣ１、ＩＣ２、ＩＣ３、ＩＣ４、ＩＣ５には、それぞれリンク先を網羅したページを示す タイトル名“リンク”、メインページを示すタイトル名“メイン”、検索ページを示すタイトル名“検索”、ユーザが所望のコンテンツを登録したり確認するページを示すタイトル名“ＭＹアルバム”、ユーザがカスタマイズできるページを示すタイトル名“ＭＹルーム”が対応付けられている。
【００５２】
図６（Ｂ）の場合には、起動時の初期設定のよりたとえばタイトル名“メイン”が、タイトル表示欄ＴＴＬに表示されている。このタイトル名の情報は、ウェブページ情報にページファイルに含めてもよく、あるいは、ウェブページ情報のヘッダから読み取るようにしてもよい。
【００５３】
アイコンＩＣ１、ＩＣ２、ＩＣ３、ＩＣ４またはＩＣ５の選択状態は、それぞれキー群１２の左右方向への操作により変更可能である。現在選択状態のアイコンは、選択状態を示すためにたとえばアイコンを浮き出させるように表示態様が変更される。
【００５４】
アイコン選択の流れにおいて、初期のタイトル名“メイン”の選択状態（図７（Ｂ）参照）からたとえば左方向へキー操作がなされると、アイコンＩＣ２の選択状態からアイコンＩＣ１の選択状態となる。このとき、タイトル名“リンク”がタイトル表示欄ＴＴＬに表示される（図７（Ａ）参照）。
【００５５】
また、アイコンＩＣ１の選択状態からアイコンＩＣ２の選択状態へキー操作（右方向）がなされると、タイトル名“メイン”がタイトル表示欄ＴＴＬに表示変更される（図７（Ｂ）参照）。さらに、キー操作により右方向への選択が順次なされると、表示遷移はアイコンＩＣ２の選択状態からアイコンＩＣ３、ＩＣ４、ＩＣ５の選択状態へと移行する。この移行に同期して、タイトル名“メイン”から順次タイトル名“検索”、“ＭＹアルバム”、“ＭＹルーム”へとタイトル表示欄ＴＴＬへの表示が変更される（図７（Ｃ）、（Ｄ）、（Ｅ）参照）。
【００５６】
操作パネルＰＮＬが表示されると（ステップＳ１０３）、現在表示されている状態で現表示時間の計測が開始される（ステップＳ１０４）。この計測時間後、キー群１２において左右方向を指示するキー入力があるかどうか確認される（ステップＳ１０５）。
【００５７】
左右どちらかの方向を指示するキー入力があった場合には、入力されたキーによる指示方向に応じて現在選択中のアイコンが切り替えられ、その切り替え先のアイコンの表示態様が変更される。これと並行して、その選択されたアイコンのタイトル名をタイトル表示欄ＴＴＬに表示する変更処理が実行される（ステップＳ１０６）。
【００５８】
ステップＳ１０５においてキー入力が確認されなかった場合には、処理はステップＳ１０７にジャンプする。また、ステップＳ６の処理が実行された後、処理はステップＳ１０７に移行する。
【００５９】
ステップＳ１０７においてキー群１２のうちセレクトキーまたは上下キーの入力有無が判断され、何の入力も確認されず、かつステップＳ１０４で計測を開始した表示時間が一定時間を経過していない場合には、処理はステップＳ１０５に戻る。一方、入力が確認されたか（ステップＳ１０７）、一定時間の経過が確認された場合には（ステップＳ１０８）、処理はステップＳ１０９に移行する。
【００６０】
したがって、セレクト操作がなされるか、一定時間が経過するまでの間は、左右方向を指示するキー入力により所望のタイトル名（アイコン）に到達するまでウェブページを表示させずにウェブページ決定に至るまでの操作を実行することが可能である。
【００６１】
ステップＳ１０９においては、現在選択中のアイコンに対応するウェブページ情報がＲＡＭ１８より読み出され、この読み出されたウェブページ情報に基づいて作成されるウェブページがディスプレイ１１に表示される（ステップＳ１０９）。
【００６２】
この後、左右方向を指示するキー入力がなされると（ステップＳ１１０）、処理はステップＳ１０３に戻り、それ以降は上述した処理が繰り返し実行される。すなわち、再び操作パネルＰＮＬが表示され、ウェブページの選択が開始される。一方、左右方向を指示するキー入力がなされないと（ステップＳ１１０）、さらに上下方向を指示するキー入力有無が判断される（ステップＳ１１１）。
【００６３】
このとき、上下方向を指示するキー入力が確認された場合には（ステップＳ１１１）、現在表示中のウェブページに対して縦スクロール処理が実行される（ステップＳ１１２）。一方、上下方向を指示するキー入力がない場合には（ステップＳ１１１）、処理はステップＳ１０９に戻り、上述した処理が繰り返し実行される。
【００６４】
つづいてステップＳ１０２について詳述する（図１０および図１１）。ウェブサーバ２では、携帯電話１からのアクセスに伴ってコンテンツＤＢ３に保存されるウェブページ情報２０６が参照される。すなわち、インデックスファイルＩＮＤＸＦの更新有無がチェックされる（ステップＳ３０１）。ここでの更新チェックは、ウェブページのＴＯＰページに対するものである。
【００６５】
携帯電話１からウェブサーバ２に対してさらにインデックスファイルＩＤＸＦが要求されると（ステップＳ２０１）、ウェブサーバ２においてその要求が受け付けられ（ステップＳ３０１）、更新チェックされた後のインデックスファイルＩＮＤＸＦがコンテンツＤＢ３から読み出される（ステップＳ２１２）。
【００６６】
この読み出されたインデックスファイルＩＮＤＸＦは、携帯電話１に対して送信される（ステップＳ３０３）。このようにして携帯電話１はインデックスファイルＩＮＤＸＦをダウンロード（受信）することにより取得する。このインデックスファイルＩＮＤＸＦは、携帯電話１のＲＡＭ１８（ワークエリア）に格納される。このインデックスファイルＩＮＤＸＦを図３（Ｂ）に示した内容として以下に説明する。
【００６７】
この段階で携帯電話１においては、ウェブブラウザを構成する各ウェブページ情報について一回の通信により全タブページ情報の更新日付を取得することができる。本実施の形態においては、ウェブページ情報は５ページ分で一組の情報として扱っている。
【００６８】
つづいて、携帯電話１に保存されているウェブページのＴＯＰページについてそれぞれ更新の要否を確認するための処理が実行される。まずページファイル番号＃１から確認が行われる。ＲＡＭ１８のウェブページ情報が参照され、ページファイル番号＃１に対応付けられた更新日付ＤＴ＃１がインデックスファイルＩＮＤＸＦ内のページファイル番号＃１の２００３．６．１０と比較される（ステップＳ２０３）。
【００６９】
もし更新日付ＤＴ＃１のほうが古い日付であった場合には、ウェブサーバ２側での更新が認められる。すなわち、ページファイル番号＃１について更新があったものと判断されるので（ステップＳ２０４）、該当ウェブページすなわちページファイル番号＃１のページファイルがウェブサーバ２に対して要求される（ステップＳ２０５）。
【００７０】
そして、ウェブサーバ２では、そのページファイルの要求が受け付けられると（ステップＳ３０４）、ページファイル番号＃１のページファイルがコンテンツＤＢ３から読み出され（ステップＳ３０５）、携帯電話１に対して送信される（ステップＳ３０６）。
【００７１】
携帯電話１では、ウェブサーバ２よりページファイル番号＃１のページファイルをダウンロード（受信）する処理が開始され（ステップＳ２０６）、ＲＡＭ１８のウェブページ情報１８Ｂを更新して保存する処理が実行される（ステップＳ２０７）。
【００７２】
そして、携帯電話１において、全ウェブページについての確認が済んでいない場合には（ステップＳ２０８）、処理は再度ステップＳ２０３に戻る。この完了有無の確認では、カウンタを用いてページファイル番号＃１〜５までをカウントするようにしてもよい。
【００７３】
このようにして、ページファイル番号＃２〜＃５までの確認がすべて完了すると（ステップＳ２０８）、処理はステップＳ１０３に移行する。
【００７４】
ステップＳ２０４において更新なしと判断された場合にはその該当ページファイル番号についての更新処理はなく、処理はステップＳ２０８にジャンプして、つぎに確認すべきウェブページがあれば処理はさらにステップＳ２０３に戻ることになる。
【００７５】
以上説明したように本実施の形態によれば、ウェブサーバ２から携帯電話１に対してたとえば５ページで一組のウェブページを取得させ、各ウェブページを表示させる前に、操作パネルＰＮＬを用いてユーザに所望のウェブページを選択させるようにしたので、ウェブページ閲覧において画面上に必要最小限の情報を提供して所望のウェブページに到達するまでの操作性を向上させることが可能である。
【００７６】
また、操作パネルＰＮＬ内に表示されるアイコンＩＣ１〜ＩＣ５に対するキー操作により選択対象を決定させ、その際、現在選択中のアイコンが何かをそのアイコンのタイトル名をタイトル表示欄ＴＴＬに表示させることで、ユーザは操作パネルＰＮＬからでも容易に所望のウェブページを確認することが可能である。
【００７７】
さらに、操作パネルＰＮＬを表示した際に、現在選択中のアイコンについて、キー群１１の操作でそのまま決定にするか、その選択状態を一定時間だけ経過させること決定にするようにしたので、現在選択中のアイコンから該当するウェブページを簡単にディスプレイに表示させることが可能である。
【００７８】
また、ウェブページ閲覧において、インデックスを用いて一組のウェブページについて更新有無を確認するようにしたので、携帯電話１とウェブサーバ２間の通信量を低減させ、通信効率を向上させることが可能である。すなわち、１回の通信でインデックスファイルＩＮＤＸＦをダウンロードしておくことで、後はウェブサーバ２と通信しなくても携帯電話１に保存されているウェブページ情報の更新有無を判断すればよく、すべてのウェブページについて携帯電話１とウェブサーバ２との間で更新有無を確認するための通信を発生させずに済む。
【００７９】
その結果、各ウェブページの更新確認に対するパケット量が減少されるので、コスト削減に大きく貢献するものである。すなわち、一例であるが、５ページ分のウェブページが存在すれば、１／５に節約することが可能である。
【００８０】
また、前述の形態では、起動時にページ更新処理（ステップＳ１０２）を実行するようにしていたが、本発明はこれに限定されるものではなく、ステップＳ１０９のページ表示を行う直前にページ更新処理を実行するようにしてもよい。その際、該当するウェブページのみページ更新処理を実行するようにしてもよい。
【００８１】
さて、前述の実施の形態では、携帯端末として携帯電話を例に挙げていたが、本発明はこれに限定されず、携帯電話網を介して通信する、すなわち、パケット通信する携帯端末にはすべて適用されるものである。
【産業上の利用可能性】
【００８２】
本発明は、携帯電話、ウェブ閲覧方法およびウェブ閲覧プログラムを製造する産業で利用される。
【図面の簡単な説明】
【００８３】
【図１】本発明の一実施の形態によるウェブサーバシステムを示す構成図である。
【図２】本実施の形態によるウェブサーバの一構成例を示すブロック図である。
【図３】本実施の形態によるウェブサーバ側の主となる記憶内容を説明する図である。
【図４】本実施の形態による携帯電話の内部構成を示すブロック図である。
【図５】本実施の形態によるウェブページ情報の記憶内容を説明する図である。
【図６】本実施の形態によるブラウザの初期画面を説明する図である。
【図７】本実施の形態による携帯電話側の画面遷移を説明する図である。
【図８】本実施の形態によるウェブ閲覧処理を説明するフローチャートである。
【図９】本実施の形態によるウェブ閲覧処理を説明するフローチャートである。
【図１０】本実施の形態によるページ更新処理を説明するフローチャートである。
【図１１】本実施の形態によるページ更新処理を説明するフローチャートである。
【符号の説明】
【００８４】
１  携帯電話
２  ウェブサーバ
３  コンテンツＤＢ
１１  ディスプレイ
１２  キー群
１６  ＣＰＵ
１７  ＲＯＭ
１８  ＲＡＭ
１８Ａ  アプリケーション
１８Ｂ  ウェブページ情報
１９  通信処理部
【図１】
2005108004.tif 000003
【図２】
2005108004.tif 000004
【図３】
2005108004.tif 000005
【図４】
2005108004.tif 000006
【図５】
2005108004.tif 000007
【図６】
2005108004.tif 000008
【図７】
2005108004.tif 000009
【図８】
2005108004.tif 000010
【図９】
2005108004.tif 000011
【図１０】
2005108004.tif 000012
【図１１】
2005108004.tif 000013